(57)【要約】【課題】電気音響変換器の磁力を向上し、音圧を大きくする。【解決手段】スピーカ２０のフレーム１の外壁１ａには段部が無く、外壁１ａの短軸上の内径は中央段部１ｄの内壁１ｆの径と一致している。フランジ５ａを有する円筒形のヨーク５の外周並びに円環状の磁石６及び円環状のトッププレート７によって磁気ギャップ１０を通る磁気回路が形成されている。これらの外周は何れも内壁１ｆに接しており、ヨーク５及びトッププレート７の上面は共にフレーム１の段部１ｃ面と一致している。フレーム１の外壁１ａの内周に沿った段部１ｃ及びトッププレート７上面には、楕円形のリング部材であるリング２が接合されており、上面は振動板８の載せ面となっていて、周縁部８ａが接合されている。【選択図】      図２
2004253852.tif 000002
【特許請求の範囲】
【請求項１】
フレームと、該フレームに固定したヨークと、該ヨークに接合した永久磁石と、該永久磁石に接合したトッププレートと、振動板と、該振動板に固定したボイスコイルと、プロテクタとから成る電気音響変換器において、前記フレームの外壁の内周に接するリング部材を配設し、該リング部材の上には前記振動板を接合し、前記リング部材の下には同一外径を有する円環状の前記磁石及び前記トッププレートを配設したことを特徴とする電気音響変換器。
【発明の詳細な説明】
【０００１】
【発明の属する技術分野】
本発明は、スピーカ、レシーバなどの電気音響変換器に関する。
【０００２】
【従来の技術】
近年携帯電話などの移動通信機器の電気音響変換器として、小型薄型で性能のよい動電型スピ−カが広く用いられている。従来のこのようなスピーカの一例を図面に基づいて説明する。図４は従来の動電型スピーカの平面図、図５は図４のＢ−Ｂ断面を示す断面図、図６はこのスピーカリングの底面図である。
【０００３】
まず、このスピーカの構成について説明する。図４、図５において、５０は外磁型の動電スピーカであり、３１は、スピーカ５０のフレームである。フレーム３１は、段部３１ｂを有する外壁３１ａを持つ略楕円盆形の樹脂成形品であり、中央穴が形成された円形に沈んだ段部３１ｄが中央に形成されている。また、段部３１ｄから長軸方向に張り出したフレーム３１には後気室３と外気とを通じる円弧状の後方放音孔３１ｅが形成されている。更に図６に示すように、フレーム３１の外壁３１ａの外側には２カ所の張り出し部３１ｇがあって、図示しないコイル端末が接続されている一対の接続パターン１５が形成されている。
【０００４】
３５はフレーム３１の段部３１ｄに固定された磁性体から成るフランジ５ａ付き円筒形のヨークである。３６はヨーク３５のフランジ５ａに固定され上下方向に磁化された円環状の永久磁石であり、３７は磁石３６上面に固定された円環状のトッププレートである。ヨーク３５、磁石３６及びトッププレート３７の外周は一致して段部３１ｄの内壁３１ｆに接している。磁石３６、ヨーク３５及びトッププレート３７によって、トッププレート７周縁部とヨーク５上端部との間の間隙である磁気ギャップ１０を通る磁気回路が形成されている。
【０００５】
８はプラスチック材料で一体成形された略楕円形の振動板であって、くびれ部を挟んで中央部及び周縁部が中高に湾曲しており、周縁部８ａは平面となっている。９はエナメル被覆された銅線であるコイル巻線を断面長方形に整列巻きし塗料で固めた環状の空芯コイルであるボイスコイルであり、その上面は振動板８のくびれ部下面に接着固定されおり、磁気ギャップ１０に臨んでいる。１１は振動板８を保護するプロテクタであり、軽金属材料を絞り加工により形成され、複数の前面放音孔１１ａを有し、周縁部１１ｂは振動板８の周縁部８ａ上に密着するように接着剤１２によりフレーム３１の外壁３１ａに接着されている。
【０００６】
このスピーカのボイスコイル９に音声信号が入力されると、フレミングの左手の法則に従い、振動板８が上下に振動して音を発する。
【０００７】
【発明が解決しようとする課題】
しかしながら、前述したスピーカ５０では、フレーム３１の外壁３１ａに振動板８を載せるための段部３１ｂを設けているために、磁石６の外径はフレーム３１の外径及び段部３１ｂの内径によって大きさが限定されることになり、十分な磁力が得られず、そして十分な音圧が出せなかった。
【０００８】
上記発明は、このような従来の問題を解決するためになされたものであり、その目的は、同じ製品サイズでも磁石外径及び音圧を最大限に得られる電気音響変換器を提供することである。
【０００９】
【課題を解決するための手段】
前記課題を解決するための本発明の手段は、フレームと、該フレームに固定したヨークと、該ヨークに接合した永久磁石と、該永久磁石に接合したトッププレートと、振動板と、該振動板に固定したボイスコイルと、プロテクタとから成る電気音響変換器において、前記フレームの外壁の内周に接するリング部材を配設し、該リング部材の上には前記振動板を接合し、前記リング部材の下には同一外径を有する円環状の前記磁石及び前記トッププレートを配設したことを特徴とする。
【００１０】
【発明の実施の形態】
以下、本発明の実施の形態を図面に基づいて詳細に説明する。図１は本発明のの実施の形態であるスピーカの平面図、図２は図１のＡ−Ａ断面を示す断面図、図３は実施の形態であるスピーカの下面図である。
【００１１】
まず、本発明の実施の形態である動電型スピーカの構成を説明する。図１〜図３において、１はスピーカ２０の略楕円形の外壁１ａを持つフレームであり、外壁１ａには段部が無く、楕円の短軸上では外壁１ａの内径が中央段部１ｄの外壁１ｆの内径と一致している。５はフランジ５ａを有する円筒形のヨークであり、６は円環状の磁石、７は円環状のトッププレートであって、ヨーク５、磁石６及びトッププレート７の外周は共に内壁１ｆに接している。ヨーク５及びトッププレート７の上面は共にフレーム１の段部１ｃ面と一致している。
【００１２】
２は、フレーム１の外壁１ａの内周に沿って段部１ｃ及びトッププレート７上面に接合された楕円形のリング部材であるリングである。振動板８の載せ面となっているリング２の上面には周縁部８ａが接合されている。その他の構成は従来と同様なので、各構成要素には従来と同じ符号と名称を付して説明を省略する。
【００１３】
次に、本実施の形態の効果について説明する。フレーム１の外壁１ａに従来のフレーム３１に設けられていた段部３１ｂを無くして、振動板８を載せるリング２をトッププレート７上に配設するようにしたので、同じ製品外径であっても、従来より内壁１ｆの径を大きく取れることになる。従って、トッププレート７及び磁石６をリング２の下に配設して外径を最大限に大きく取ることができ、磁力の向上が図られ音圧も大きくすることができる。
【００１４】
なお、本発明は、以上説明した実施の形態に限定されるものではなく、フレーム形状は任意であり、レシーバ等の他の電気音響変換器にも適用できるものである。
【００１５】
【発明の効果】
以上説明したように、本発明によれば、フレームと、該フレームに固定したヨークと、該ヨークに接合した永久磁石と、該永久磁石に接合したトッププレートと、振動板と、該振動板に固定したボイスコイルと、プロテクタとから成る電気音響変換器において、前記フレームの外壁の内周に接するリング部材を配設し、該リング部材の上には前記振動板を接合し、前記リング部材の下には同一外径を有する円環状の前記磁石及び前記トッププレートを配設したので、製品外径に対して永久磁石の外径を十分大きく取れることになり、従って磁力の向上が図られ音圧も大きくすることができる。電気音響変換器の小型化に有利な構成である。
【図面の簡単な説明】
【図１】本発明の実施の形態であるスピーカの平面図である。
【図２】図１のＡ−Ａ断面を示す断面図である。
【図３】本発明の実施の形態であるスピーカの底面図である。
【図４】従来のスピーカの平面図である。
【図５】図４のＢ−Ｂ断面を示す断面図である。
【図６】従来のスピーカの底面図である。
【符号の説明】
１  フレーム
１ａ  外壁
２  リング（リング部材）
５  ヨーク
６  永久磁石
７  トッププレート
８  振動板
９  ボイスコイル
１１  プロテクタ
２０  スピーカ（電気音響変換器）
【図１】
2004253852.tif 000003
【図２】
2004253852.tif 000004
【図３】
2004253852.tif 000005
【図４】
2004253852.tif 000006
【図５】
2004253852.tif 000007
【図６】
2004253852.tif 000008
【手続補正書】
【提出日】平成16年1月28日(2004.1.28)
【手続補正１】
【補正対象書類名】明細書
【補正対象項目名】０００２
【補正方法】変更
【補正の内容】
【０００２】
【従来の技術】
近年携帯電話などの移動通信機器の電気音響変換器として、小型薄型で性能のよい動電型スピ−カが広く用いられている。従来のこのようなスピーカの一例を図面に基づいて説明する。図４は従来の動電型スピーカの平面図、図５は図４のＢ−Ｂ断面を示す断面図、図６はこのスピーカの底面図である。
を囲い前記基台に固着し熱結合される熱伝導性を有する反射枠とを有し、前記発光素子チップからの発熱を前記基台と前記反射枠の両方、もしくは、どちらか一方によって放熱するように構成したことを特徴とする表面実装型ＬＥＤ。


【手続補正２】
【補正対象書類名】明細書
【補正対象項目名】０００４
【補正方法】変更
【補正の内容】
【０００４】
３５はフレーム３１の段部３１ｄに固定された磁性体から成るフランジ５ａ付き円筒形のヨークである。３６はヨーク３５のフランジ３５ａに固定され上下方向に磁化された円環状の永久磁石であり、３７は磁石３６上面に固定された円環状のトッププレートである。ヨーク３５、磁石３６及びトッププレート３７の外周は一致して段部３１ｄの内壁３１ｆに接している。磁石３６、ヨーク３５及びトッププレート３７によって、トッププレート３７周縁部とヨーク３５上端部との間の間隙である磁気ギャップ１０を通る磁気回路が形成されている。


【手続補正３】
【補正対象書類名】明細書
【補正対象項目名】０００５
【補正方法】変更
【補正の内容】
【０００５】
８はプラスチック材料で一体成形された略楕円形の振動板であって、くびれ部を挟んで中央部及び周縁部が中高に湾曲しており、周縁部８ａは平面となっている。９はエナメル被覆された銅線であるコイル巻線を断面長方形に整列巻きし塗料で固めた環状の空芯コイルであるボイスコイルであり、その上面は振動板８のくびれ部下面に接着固定されおり、磁気ギャップ１０に臨んでいる。１１は振動板８を保護するプロテクタであり、軽金属材料を絞り加工により形成され、複数の前面放音孔１１ａを有し、周縁部１１ｂは振動板８の周縁部８ａ上に密着するように接着剤１２によりフレーム３１の外壁３１ａに接着されている。
４はプロテクタ１１の振動板８とに囲まれた空間である。
【手続補正４】
【補正対象書類名】明細書
【補正対象項目名】０００７
【補正方法】変更
【補正の内容】
【０００７】
【発明が解決しようとする課題】
しかしながら、前述したスピーカ５０では、フレーム３１の外壁３１ａに振動板８を載せるための段部３１ｂを設けているために、磁石３６の外径はフレーム３１の外径及び段部３１ｂの内径によって大きさが限定されることになり、十分な磁力が得られず、そして十分な音圧が出せなかった。


【手続補正５】
【補正対象書類名】明細書
【補正対象項目名】００１０
【補正方法】変更
【補正の内容】
【００１０】
【発明の実施の形態】
以下、本発明の実施の形態を図面に基づいて詳細に説明する。図１は本発明のの実施の形態であるスピーカの平面図、図２は図１のＡ−Ａ断面を示す断面図、図３は本発明の実施の形態であるスピーカの底面図である。


【手続補正６】
【補正対象書類名】明細書
【補正対象項目名】００１１
【補正方法】変更
【補正の内容】
【００１１】
まず、本発明の実施の形態である動電型スピーカの構成を説明する。図１〜図３において、１はスピーカ２０の略楕円形の外壁１ａを持つフレームであり、外壁１ａには段部が無く、楕円の短軸上では外壁１ａの内径が中央段部１ｄの内壁１ｆの内径と一致している。５はフランジ５ａを有する円筒形のヨークであり、６は円環状の磁石、７は円環状のトッププレートであって、ヨーク５、磁石６及びトッププレート７の外周は共に内壁１ｆに接している。ヨーク５及びトッププレート７の上面は共にフレーム１の段部１ｃ面と一致している。


【手続補正７】
【補正対象書類名】図面
【補正対象項目名】図２
【補正方法】変更
【補正の内容】
【図２】
2004253852.tif 000009
【手続補正８】
【補正対象書類名】図面
【補正対象項目名】図５
【補正方法】変更
【補正の内容】
【図５】
2004253852.tif 000010
【手続補正書】
【提出日】平成16年1月30日(2004.1.30)
【手続補正１】
【補正対象書類名】明細書
【補正対象項目名】０００２
【補正方法】変更
【補正の内容】
【０００２】
【従来の技術】
近年携帯電話などの移動通信機器の電気音響変換器として、小型薄型で性能のよい動電型スピ−カが広く用いられている。従来のこのようなスピーカの一例を図面に基づいて説明する。図４は従来の動電型スピーカの平面図、図５は図４のＢ−Ｂ断面を示す断面図、図６はこのスピーカの底面図である。